(57)【特許請求の範囲】
【請求項１】
搬送装置により被洗浄車両を洗車機本体の入口から出口に向かって搬送して被洗浄車両を洗浄する洗車機において、
前記洗車機本体が被洗浄車両の前後面を洗浄する際に被洗浄車両とともに前後方向に移動する回転ブラシを備え、
前記回転ブラシが被洗浄車両の前面を洗浄中に前記搬送装置が一時停止した際に前記回転ブラシが被洗浄車両の前方に所定距離移動して退避し、前記搬送装置の一時停止により駄走して停止した被洗浄車両と前記回転ブラシとが離れていることを特徴とする洗車機。
【請求項２】
前記搬送装置が被洗浄車両の搬送を再開すると、前記回転ブラシは退避した位置で待機し、被洗浄車両の前面が前記回転ブラシによる洗浄される位置に配置された際に前記回転ブラシの前進が再開されることを特徴とする請求項１に記載の洗車機。
【請求項３】
前記回転ブラシの傾きを検知する傾斜検知センサを設け、前記回転ブラシの傾きが所定値を超えた際に前記回転ブラシの前進が再開されることを特徴とする請求項２に記載の洗車機。
【請求項４】
前記回転ブラシが前後方向及び左右方向に移動する左右一対のサイドブラシであることを特徴とする請求項１〜３のいずれかに記載の洗車機。
【請求項５】
前記洗車機本体が前記サイドブラシを設けた側面洗浄装置と、上下方向に移動するトップブラシを設けた上面洗浄装置とを備えるとともに、前記側面洗浄装置及び前記上面洗浄装置によって異なる被洗浄車両が同時に洗浄され、前記トップブラシにより被洗浄車両の運転席の略垂直な後壁を洗浄する際に前記搬送装置が一時停止されることを特徴とする請求項４に記載の洗車機。
【請求項６】
人体を検出する人体センサを備え、前記人体センサが人体検出した際に前記搬送装置が一時停止することを特徴とする請求項１〜３のいずれかに記載の洗車機。
【発明の詳細な説明】
【技術分野】
【０００１】
本発明は、被洗浄車両を洗浄する回転ブラシを備えた洗車機に関する。
【背景技術】
【０００２】
給油所等に設置される従来の洗車機は特許文献１に開示される。洗車機は搬送装置及び洗車機本体を備えている。搬送装置はプッシュローラ式のコンベアにより形成され、被洗浄車両を搬送する。洗車機本体はスタンド部、天井部、移動体及びサイドブラシ（回転ブラシ）を有している。
【０００３】
スタンド部は左右に対向して設けられ、天井部はスタンド部の上端を連結する。これにより、洗車機本体は門型に形成され、被洗浄車両を跨いで地面に固定されている。
【０００４】
移動体は洗車機本体の上部に設けられ、洗車機本体の入口近傍から出口近傍まで前後方向に移動する。サイドブラシは移動体の下部に左右一対で設けられ、移動体に対して左右方向に移動可能に取り付けられる。これにより、サイドブラシは左右方向及び前後方向に移動することができる。
【０００５】
被洗浄車両はギアをニュートラルにして所定の位置に停止する。搬送装置により被洗浄車両が搬送されて被洗浄車両の洗車が開始されると、移動体は搬送方向に移動するとともにサイドブラシが接近した状態から左右方向に離れる方向に移動しながら被洗浄車両の前面を洗浄する。
【０００６】
各サイドブラシが被洗浄車両の略車幅まで離れると、サイドブラシの左右方向の移動は停止する。その後、サイドブラシは略車幅の停止位置を保つことにより被洗浄車両の側面全体が洗浄される。
【０００７】
サイドブラシが被洗浄車両の後面の位置に配されると、サイドブラシが互いに離れた状態から接近する状態に移動することにより、被洗浄車両の後面が洗浄される。
【０００８】
被洗浄車両の後面の洗浄が終了すると、次の被洗浄車両の洗浄が開始される。
【先行技術文献】
【特許文献】
【０００９】
【特許文献１】特開平８−１１６８３号公報
【特許文献２】特開２００３−１０４１７６号公報
【発明の概要】
【発明が解決しようとする課題】
【００１０】
被洗浄車両の前面を洗浄する際、異常停止や一時停止を行うと移動体及び搬送装置が停止する。しかしながら、上記従来の洗車機によると、被洗浄車両のギアがニュートラルのため、駄走で被洗浄車両がサイドブラシを強く押圧する。これにより、被洗浄車両が傷ついたり、サイドブラシが破損することがあるという問題があった。
【００１１】
本発明は、被洗浄車及び回転ブラシの破損を防止できる洗車機を提供することを目的とする。
【課題を解決するための手段】
【００１２】
上記目的を達成するために本発明は、搬送装置により被洗浄車両を洗車機本体の入口から出口に向かって搬送して被洗浄車両を洗浄する洗車機において、前記洗車機本体が被洗浄車両の前後面を洗浄する際に被洗浄車両とともに前後方向に移動する回転ブラシを備え、前記回転ブラシが被洗浄車両の前面を洗浄中に前記搬送装置が一時停止した際に前記回転ブラシが被洗浄車両の前方に所定距離移動して退避することを特徴とする。
【００１３】
また、本発明は上記構成の洗車機において、前記搬送装置が被洗浄車両の搬送を再開すると、前記回転ブラシは退避した位置で待機し、被洗浄車両の前面が前記回転ブラシによる洗浄される位置に配置された際に前記回転ブラシの前進が再開されることを特徴とする。
【００１４】
また、本発明は上記構成の洗車機において、前記回転ブラシの傾きを検知する傾斜検知センサを設け、前記回転ブラシの傾きが所定値を超えた際に前記回転ブラシの前進が再開されることを特徴とする。
【００１５】
また、本発明は上記構成の洗車機において、前記回転ブラシが前後方向及び左右方向に移動する左右一対のサイドブラシであることを特徴とする。
【００１６】
また、本発明は上記構成の洗車機において、前記洗車機本体が前記サイドブラシを設けた側面洗浄装置と、上下方向に移動するトップブラシを設けた上面洗浄装置とを備えるとともに、前記側面洗浄装置及び前記上面洗浄装置によって異なる被洗浄車両が同時に洗浄され、前記トップブラシにより被洗浄車両の運転席の略垂直な後壁を洗浄する際に前記搬送装置が一時停止されることを特徴とする。
【００１７】
また、本発明は上記構成の洗車機において、人体を検出する人体センサを備え、前記人体センサが人体検出した際に前記搬送装置が一時停止することを特徴とする。
【発明の効果】
【００１８】
本発明によると、洗車機本体が被洗浄車両の前後面を洗浄する際に被洗浄車両とともに前後方向に移動する回転ブラシを備え、回転ブラシが被洗浄車両の前面を洗浄中に搬送装置が一時停止した際に回転ブラシが被洗浄車両の前方に所定距離移動して退避する。これにより、被洗浄車両が回転ブラシを強く押圧することを回避して回転ブラシ及び被洗浄車両の破損を防止することができる。
【図面の簡単な説明】
【００１９】
【図１】本発明の第１実施形態の洗車機を示す側面図
【図２】本発明の第１実施形態の洗車機の側面洗浄装置を示す正面図
【図３】本発明の第１実施形態の洗車機の移動体を示す側面図
【図４】本発明の第１実施形態の洗車機の移動体を示す上面図
【図５】本発明の第１実施形態の洗車機のサイドブラシの洗車の状態を示す上面図
【図６】本発明の第１実施形態の洗車機のサイドブラシの洗車の状態を示す上面図
【図７】本発明の第１実施形態の洗車機のサイドブラシの一時停止状態を示す上面図
【図８】本発明の第１実施形態の洗車機のサイドブラシの一時停止状態を示す側面図
【図９】本発明の第１実施形態の洗車機のトップブラシの洗車の状態を示す側面図
【図１０】本発明の第１実施形態の洗車機のサイドブラシの洗車の状態を示す側面図
【図１１】本発明の第１実施形態の洗車機のサイドブラシの洗車の状態を示す上面図
【図１２】本発明の第２実施形態の洗車機を示す側面図
【発明を実施するための形態】
【００２０】
以下に本発明の実施形態を図面を参照して説明する。図１は本発明の第１実施形態の洗車機ＷＡを示す側面図である。洗車機ＷＡは地面Ｇに敷設して被洗浄車両ＣＡ（図３参照）を前方の搬送方向Ｄに搬送する搬送装置６０を備えている。また、洗車機ＷＡは洗車機本体１を有し、洗車機本体１は搬送方向Ｄに向かって順に配置される検知装置（上面洗浄装置）１５０、側面洗浄装置２及び乾燥装置１００を備えている。
【００２１】
洗車機本体１の前方にはリモートパネル１７０が設置されている。リモートパネル１７０は被洗浄車両ＣＡ（図３参照）の搬送前の進入経路Ｓ上に配され、洗車条件の設定を行う。リモートパネル１７０には複数のボタンが設けられており、シャンプー、ワックス掛け、撥水コート等の液剤を用いた洗車条件を設定することができる。また、フロントガード有り、フェンダーポール有り、サイドミラー有り、リヤワイパー有り、ルーフキャリア有り等の装備品の設定も行うことができる。
【００２２】
上面洗浄装置１５０は被洗浄車両ＣＡを跨ぐように門型に形成され、車両検知センサ１５５、車両検知センサ１５６、人体センサ１５８、タンク収納部１５７、分配配管部１５１及びトップブラシ１６１を有している。車両検知センサ１５５は上面洗浄装置１５０の上部に配され、車両検知センサ１５６は上面洗浄装置１５０の両側部に配される。これらのセンサは上面洗浄装置１５０に進入する被洗浄車両ＣＡの外面形状を検知する。人体センサ１５８は上面洗浄装置１５０の後面に設けられ、上面洗浄装置１５０と側面洗浄装置２とを横切るユーザを検出する。これらのセンサは光電センサや超音波センサ等から形成されている。
【００２３】
タンク収納部１５７は洗剤やワックス等の各種液剤を貯液した複数の貯液タンク（不図示）を収納する。分配配管部１５１はタンク収納部１５７の上方に設けられ、市水及び各貯液タンクからの液剤を分配する。分配配管部１５１には浄水ノズル、洗剤ノズル、ワックスノズル（不図示）がそれぞれ電磁弁（不図示）を介して接続される。
【００２４】
浄水ノズルは被洗浄車両ＣＡに対して市水を噴射し、洗剤ノズルはシャンプーなどの洗浄液を噴射し、ワックスノズルは被洗浄車両ＣＡに対してワックスを噴射する。
【００２５】
トップブラシ１６１は上面洗浄装置１５０の出口側に設けられている。トップブラシ１６１は上下に移動し、洗浄用の駆動モータ（不図示）によって被洗浄車両ＣＡの上面に沿って被洗浄車両ＣＡの上面を洗浄する。
【００２６】
側面洗浄装置２はサイドブラシ５を有している。サイドブラシ５は詳細を後述するように被洗浄車両ＣＡの前後面及び両側面を洗浄する。
【００２７】
乾燥装置１００は被洗浄車両ＣＡを跨ぐように門型に形成され、気流を発生して被洗浄車両ＣＡを乾燥させるブロア１０１が設けられる。ブロア１０１にはトップ送風ノズル１０２及びサイド送風ノズル１０３が接続される。トップ送風ノズル１０２は中央上部に設けられ、被洗浄車両ＣＡの上面に向けて送風する。サイド送風ノズル１０３は両側部に設けられ、被洗浄車両ＣＡの側面に向けて送風する。これにより、トップ送風ノズル１０２及びサイド送風ノズル１０３の送風によって洗浄後の被洗浄車両ＣＡを乾燥させることができる。
【００２８】
被洗浄車両ＣＡは搬送装置６０の搬送により上面洗浄装置１５０、側面洗浄装置２及び乾燥装置１００を順に通過する。この時、一の被洗浄車両ＣＡが上面洗浄装置１５０から退出すると後続の被洗浄車両ＣＡが上面洗浄装置１５０に進入する。これにより、上面洗浄装置１５０、側面洗浄装置２及び乾燥装置１００においてそれぞれ異なる被洗浄車両ＣＡの洗浄及び乾燥が同時に行われる。
【００２９】
図２は側面洗浄装置２の正面図を示している。側面洗浄装置２は左右の対向するスタンド部３と、スタンド部３の上端を連結する天井部４とを有して門型に形成される。側面洗浄装置２は浄水ノズル、洗剤ノズル、ワックスノズル（いずれも不図示）、案内部３１、移動体３０、サイドブラシ５及び傾斜検知センサ１７を有している。
【００３０】
浄水ノズルは分配配管部１５１（図１参照）に接続され、浄水ノズルから被洗浄車両ＣＡに対して市水を噴射する。また、洗剤ノズルからは洗剤が噴射され、ワックスノズルからワックスや撥水剤が噴射される。
【００３１】
案内部３１は左右一対に設けられ、前後方向に延びて形成されている。案内部３１上には移動体３０が設けられる。移動体３０は駆動モータの駆動により案内部３１の案内によって前後方向に移動することができる。
【００３２】
移動体３０には左右方向に延びるレール３２が設けられている。レール３２には左右一対のサイドブラシ５が吊り下げられている。それぞれのサイドブラシ５は駆動モータ（不図示）の駆動によりレール３２の案内によって左右方向に移動することができる。これにより、サイドブラシ５は被洗浄車両ＣＡの前後面及び両側面を洗浄することができる。
【００３３】
傾斜検知センサ１７はサイドブラシ５の上部に設けられ、サイドブラシ５の上下に延びる回転軸５ａ（図１０参照）が傾斜しているか否かを検知する。
【００３４】
搬送装置６０はリモートパネル１７０と上面洗浄装置１５０との間から乾燥装置１００の後方まで前後方向に延びて形成され、両スタンド部３間の地面Ｇに左右方向の一方に偏って敷設される。
【００３５】
図３、図４は搬送装置６０の側面断面図及び上面図を示している。搬送装置６０は地面Ｇを掘下げた前後方向に延びる溝部６１内に、駆動モータ６２により周回する連結部材６４が配される。溝部６１の上面は地面Ｇと同一面のカバーにより覆われる。連結部材６４には所定の間隔で搬送ローラー６３が設けられる。搬送ローラー６３はカバーに開口する前後に延びる開口部６１ａから突出し、左右方向に延びて形成される。
【００３６】
搬送装置６０上に前輪ＣＡ１を乗り上げた被洗浄車両ＣＡはギアをニュートラル状態にして停止される。駆動モータ６２が駆動されると、前輪ＣＡ１が搬送ローラー６３により前方に押圧される。これにより、被洗浄車両ＣＡが搬送方向Ｄに搬送される。
【００３７】
上記構成の洗車機ＷＡにおいて、被洗浄車両ＣＡはリモートパネル１７０の面前の所定の停車位置で停止し、ユーザは被洗浄車両ＣＡから所望の洗車条件の設定を行う。そして、被洗浄車両ＣＡは上面洗浄装置１５０の入口側から搬送装置６０上に乗り上げる。その後、ユーザは被洗浄車両ＣＡのギアをニュートラルにして降車する。なお、本発明の洗車機ＷＡでは連続して複数の被洗浄車両ＣＡを同時に洗車する連続洗車型を想定している。
【００３８】
搬送装置６０上に被洗浄車両ＣＡ（図４参照）が乗り上げたことを検知すると、被洗浄車両ＣＡは搬送装置６０によって搬送方向Ｄ（図１参照）に一定の速度（本実施形態では８ｍ/分）で搬送される。被洗浄車両ＣＡが上面洗浄装置１５０に進入すると、上面洗浄装置１５０は洗車設定に応じて被洗浄車両ＣＡに対してそれぞれのノズルから市水、洗剤及びワックスを噴射する。
【００３９】
被洗浄車両ＣＡがトップブラシ１６１の下方に搬送されると、トップブラシ１６１による洗浄が開始される。そして、トップブラシ１６１が被洗浄車両ＣＡの上面に沿って移動し、被洗浄車両ＣＡの上面を洗浄する。
【００４０】
図５、図６はサイドブラシ５による被洗浄車両ＣＡの洗車の状態を示す上面図である。搬送装置６０によって被洗浄車両ＣＡは一定の速度で側面洗浄装置２の入口１５から出口１６に向って前方に搬送されている。被洗浄車両ＣＡが側面洗浄装置２に進入すると、側面洗浄装置２は洗車設定に応じて被洗浄車両ＣＡに対してそれぞれのノズルから市水、洗剤及びワックスを噴射する。
【００４１】
図５に示すように、被洗浄車両ＣＡが側面洗浄装置２の前後方向の略中央部まで搬送されるとき、移動体３０は案内部３１の略中央部に配されている。この時、サイドブラシ５は互いに接近した状態に配され、この状態から被洗浄車両ＣＡの前面の洗浄を開始する。
【００４２】
次に図６に示すように、移動体３０は搬送方向Ｄに被洗浄車両ＣＡと同じ速度（８ｍ/分）で移動する。この時、サイドブラシ５は左右方向に互いに離れる方向に移動することで、被洗浄車両ＣＡの前面全体を洗浄する。
【００４３】
この時、人体センサ１５８が人体を検出する場合や図９に示すように後続の被洗浄車両ＣＡの形状によっては搬送装置６０が一時停止する。
【００４４】
図９はトップブラシ１６１により後続の被洗浄車両ＣＡの運転席の後壁ＣＡ２の洗浄状態を示す側面図である。トップブラシ１６１は上下方向の移動しかできないため、軽トラックなどの被洗浄車両ＣＡの略垂直に形成される後壁ＣＡ２の洗浄時には搬送装置６０が一時停止される。なお、手動により搬送装置６０が一時停止される場合もある。
【００４５】
図７、図８は被洗浄車両ＣＡの洗車を一時停止した状態を示す上面図、側面図である。サイドブラシ５が被洗浄車両ＣＡの前面を洗浄中に搬送装置６０が一時停止した際にサイドブラシ５は回転を停止するとともに被洗浄車両ＣＡの前方に２００ｍｍ離れた位置に退避する。この時、被洗浄車両ＣＡはギアをニュートラルにしているため、搬送ローラー６３から前輪ＣＡ１が離れて所定距離Ｓ２だけ搬送方向Ｄに駄走する。しかしながら、サイドブラシ５が前方に退避されているため、被洗浄車両ＣＡが停止した位置では被洗浄車両ＣＡとサイドブラシ５とが所定距離Ｓ１だけ離れている。これにより、被洗浄車両ＣＡがサイドブラシ５を強く押圧することを回避できる。
【００４６】
サイドブラシ５は前方で待機した状態で一時停止が解除されると、搬送装置６０が被洗浄車両ＣＡの搬送を再開する。搬送ローラー６３が退避距離（２００ｍｍ）だけ周回すると、サイドブラシ５と被洗浄車両ＣＡとが被洗浄車両ＣＡの前面がサイドブラシ５による洗浄される位置に配置されたと判断され、サイドブラシ５の回転及び搬送方向Ｄの移動が再開する。
【００４７】
図１０はサイドブラシ５により被洗浄車両ＣＡの前面を洗浄する状態を示す側面図である。被洗浄車両ＣＡの前面とサイドブラシ５とが接触すると、サイドブラシ５は移動体３０に吊り下げられているためにサイドブラシ５の回転軸５ａは所定角度θだけ傾斜する。このため、傾斜検知センサ１７が所定値を超えた角度θを検出した際に、サイドブラシ５の回転および搬送方向Ｄの移動を再開してもよい。
【００４８】
図１１は被洗浄車両ＣＡの側面の洗浄時の状態を示す上面図である。被洗浄車両ＣＡの前面の終了が終わると、移動体３０が搬送方向Ｄと反対の方向に移動してサイドブラシ５は被洗浄車両ＣＡの側面の洗浄を開始する。そして、サイドブラシ５により被洗浄車両ＣＡの側面全体を洗浄することができる。その後、移動体３０が搬送方向Ｄに移動し、サイドブラシ５が近接するように移動することにより、被洗浄車両ＣＡの後面の洗浄を行う。サイドブラシ５が被洗浄車両ＣＡの後面の洗浄を終えた際には移動体３０は洗浄開始時と同じように案内部３１の略中央部に配されている。
【００４９】
その後、被洗浄車両ＣＡは乾燥装置１００に搬送され、トップ送風ノズル１０２及びサイド送風ノズル１０３から空気が送出されて、被洗浄車両ＣＡの乾燥が行われ洗車が終了する。また、被洗浄車両ＣＡの洗車に続き、後続の被洗浄車両ＣＡが連続して行われる。
【００５０】
また、サイドブラシ５が被洗浄車両ＣＡの後面を洗浄中に一時停止が解除されると、サイドブラシ５と搬送装置６０とが同じ速度で搬送方向Ｄに移動する。これにより、搬送ローラー６３が前輪ＣＡ１に当接して搬送が再開され、サイドブラシ５と被洗浄車両ＣＡとが洗浄可能な距離に保たれて洗浄が再開される。この時、傾斜検知センサ１７に基づいてサイドブラシ５と被洗浄車両ＣＡとが接触していることを検出してもよい。
【００５１】
本実施形態によると、洗車機本体１が被洗浄車両ＣＡの前後面を洗浄する際に被洗浄車両ＣＡとともに前後方向に移動するサイドブラシ５を備え、サイドブラシ５が被洗浄車両ＣＡの前面を洗浄中に搬送装置６０が一時停止した際にサイドブラシ５が被洗浄車両ＣＡの前方に所定距離移動して退避する。これにより、サイドブラシ５が被洗浄車両ＣＡを押圧することなく、サイドブラシ５及び被洗浄車両ＣＡの破損を防止することができる。また、被洗浄車両ＣＡが搬送装置６０により移動しながら前面を洗浄されるため、上面洗浄装置１５０や乾燥装置１００に配される被洗浄車両ＣＡの搬送が停止されない。このため、洗車機ＷＡの洗車時間を短縮することができる。
【００５２】
また、搬送装置６０が被洗浄車両ＣＡの搬送を再開すると、サイドブラシ５は退避した位置で待機し、被洗浄車両ＣＡの前面がサイドブラシ５による洗浄される位置に配置された際にサイドブラシ５の前進が再開される。このため、サイドブラシ５の移動制御を簡単に行うことができる。
【００５３】
サイドブラシ５の傾きを検知する傾斜検知センサ１７を設け、サイドブラシ５の傾きが所定値を超えた際にサイドブラシ５の前進が再開されるため、確実にサイドブラシ５による洗浄を行うことができる。
【００５４】
また、人体を検出する人体センサ１５８の検出結果に応じて搬送装置６０が一時停止するため、事故を未然に防ぐ洗車機ＷＡを提供することができる。
【００５５】
（第２実施形態）
図１１は第２実施形態の洗車機ＷＡの洗車機本体１を示す側面図である。説明の便宜上、前述の図１〜１１を示す第１実施形態と同様の部分には同一の符号を付している。本実施形態では洗車機本体１は上面洗浄装置１５０、側面洗浄装置２及び乾燥装置１００が一体に形成される。これにより、洗車機ＷＡを小型化することができる。また、トップブラシ１６１及びサイドブラシ５の構成が異なっている。その他の部分は第１実施形態と同様である。
【００５６】
トップブラシ１６１は移動体３０に取り付けられている。移動体３０が前後方向に移動することにより、トップブラシ１６１は前後及び上下方向に移動して洗浄することができる。サイドブラシ５は洗車機本体１に取り付けられ、左右方向に移動することができる。
【００５７】
上記構成の洗車機ＷＡにおいて、被洗浄車両ＣＡはリモートパネル１７０の面前の所定の停車位置で停止し、ユーザは被洗浄車両ＣＡから所望の洗車条件の設定を行う。そして、被洗浄車両ＣＡは洗車機本体１の入口１５側から搬送装置６０上に乗り上げる。
【００５８】
被洗浄車両ＣＡが搬送されると、各ノズルから市水や洗浄液が噴射され、移動体３０が前後方向に移動しながらトップブラシ１６１による被洗浄車両ＣＡの上面及び前後面の洗浄が開始されるとともにサイドブラシ５による側面の洗浄が行われる。この時、トップブラシ１６１は前後方向に移動できるので図９に示すような軽トラック等の被洗浄車両ＣＡの後壁ＣＡ２の洗浄時には搬送装置６０を一時停止する必要がない。
【００５９】
トップブラシ１６１が下降して被洗浄車両ＣＡの前面を洗浄中に搬送装置６０が一時停止した際にトップブラシ１６１は被洗浄車両ＣＡの前方に退避する。この時、被洗浄車両ＣＡが駄走しても、トップブラシ１６１は前方に退避されているため、被洗浄車両ＣＡとトップブラシ１６１との接触を回避できる。
【００６０】
搬送装置６０の一時停止が解除されると、トップブラシ１６１及びサイドブラシ５による洗浄が再開される。その後、トップ送風ノズル１０２及びサイド送風ノズル１０３により被洗浄車両ＣＡの乾燥が行われる。
【００６１】
本実施形態によると、第１実施形態と同様に搬送装置６０の一時停止時にトップブラシ１６１及び被洗浄車両ＣＡの損傷を防止することができる。また、洗車機本体１が第１実施形態の上面洗浄装置１５０、側面洗浄装置２及び乾燥装置１００が一体となって構成されているため、洗車機ＷＡを小型化することができる。
【００６２】
また、本実施形態において、第１実施形態と同様に移動体３０にサイドブラシ５を取り付けてサイドブラシ５が前後方向に移動する構成でもよい。
【産業上の利用可能性】
【００６３】
本発明によると、回転ブラシを備えた洗車機に利用することができる。
【符号の説明】
【００６４】
１      洗車機本体
２      側面洗浄装置
３      スタンド部
４      天井部
５      サイドブラシ
５ａ    回転軸
７Ａ    リモートパネル
１１    浄水ノズル
１２    浄水ノズル
１５    入口
１６    出口
１７    傾斜検知センサ
３０    移動体
３１    案内部
３２    レール
６０    搬送装置
６１    溝部
６１ａ  開口部
６２    駆動モータ
６３    搬送ローラー
６３ａ  押圧部
６４    連結部材
１００  乾燥装置
１０１  ブロア
１０２  トップ送風ノズル
１０３  サイド送風ノズル
１５０  上面洗浄装置
１５１  分配配管部
１５５  車両検知センサ
１５６  車両検知センサ
１５７  タンク収納部
１５８  人体センサ
１６１  トップブラシ
１７０  リモートパネル
Ｇ      地面
ＷＡ    洗車機
ＣＡ    被洗浄車両
ＣＡ１  前輪
ＣＡ２  後壁
Ｄ      搬送方向
【図１】
0006269402.tif 000002
【図２】
0006269402.tif 000003
【図３】
0006269402.tif 000004
【図４】
0006269402.tif 000005
【図５】
0006269402.tif 000006
【図６】
0006269402.tif 000007
【図７】
0006269402.tif 000008
【図８】
0006269402.tif 000009
【図９】
0006269402.tif 000010
【図１０】
0006269402.tif 000011
【図１１】
0006269402.tif 000012
【図１２】
0006269402.tif 000013